(57)【要約】【課題】  裁断作業の苦痛感や裁断音等による不快感を解消すると共に、付加価値の高いシュレッダを提供すること。【解決手段】  紙葉の裁断片を収容する箱形の本体２０と、本体２０の上部に配備した裁断カッタ装置４０とを具備するシュレッダであって、本体２０または蓋の表面３１にキャラクターを表示すると共に、裁断カッタ装置４０の作動音と紙葉の裁断音を打ち消す擬音を発生する擬音発生システム５０を付設して構成した。【選択図】  図２
0003114333.tif 000002
【実用新案登録請求の範囲】
【請求項１】
紙葉の裁断片を収容する箱形の本体と、本体の上部に配備した裁断カッタ装置とを具備するシュレッダであって、
本体または蓋の表面にキャラクターを表示すると共に、
裁断カッタ装置の作動音と紙葉の裁断音を打ち消す音量で、かつ癒し効果のある擬音を発生する擬音発生システムを付設し、
前記擬音発生システムは裁断作業に連動して擬音を再生可能に構成したことを特徴とする、
シュレッダ。
【請求項２】
前記擬音発生システムは、制御基板とスピーカとを具備し、制御基板に癒し効果のある擬音を記録した擬音ＲＯＭを設け、裁断中に擬音ＲＯＭの擬音を再生可能に構成したことを特徴とする、請求項１に記載のシュレッダ。
【請求項３】
前記本体内に裁断屑の満杯高さを電気的に検知する屑センサを設け、屑センサと制御基板を連動させて裁断屑の満杯時に擬音発生システムを通じて、裁断時と異なる擬音を再生可能に構成したことを特徴とする、請求項１又は請求項２に記載のシュレッダ。
【請求項４】
前記キャラクターの一部に感圧スイッチを埋設し、該感圧スイッチを主電源スイッチとして構成したことを特徴とする、請求項１又は請求項２に記載のシュレッダ。
【考案の詳細な説明】
【技術分野】
【０００１】
本考案は、廃棄紙葉を細かく裁断するシュッダに関し、より詳細には裁断機能に、音による癒し機能とキャラクター機能を付加したシュッダに関するものである。
【背景技術】
【０００２】
シュレッダは業務用の大型シュレッダと、個人向け簡易型シュレッダに大別される。
個人向けシュレッダは裁断片を収容する箱形の本体と、本体の上部を封鎖する蓋材と、蓋材の開口部に配備した対を成す回転カッタと、回転カッタを手動又は電動で回転駆動する駆動手段を具備している。
今日、個人情報保護法の施行や個人情報を悪用した犯罪の増加などにより、個人向けシュレッダ等を利用した個人レベルでの情報管理の必要性が益々高くなっている。
【考案の開示】
【考案が解決しようとする課題】
【０００３】
前記したシュレッダにあってはつぎのような問題点がある。
（１）従来のシュレッダは裁断機能のみを優先して設計されているため、商品としての付加価値が低い。
（２）業務用シュレッダには、裁断片が所定の蓄積量を超えるとセンサで感知し、この信号を受けて満杯状況をデジタル表示や音声メッセージにより告知するシステムが実用新案登録第２５０８１６１号公報により知られている。
この告知システムは、裁断片の蓄積量が満杯状態にならないと作動しないため、通常は紙葉を繰り返し投入するだけの単調な作業を強いることになり、苦痛を感じる場合が少なくない。
（３）業務用、個人向け何れのシュレッダも、裁断中に回転カッタの回転音や紙葉を裁断する際の裁断音が発生し、これらの複合音は作業者だけでなく周囲の人にも不快感を与えている。
【０００４】
本考案は以上の点に鑑みて成されたもので、その目的とするところは裁断作業の苦痛感や裁断音等による不快感を解消すると共に、付加価値の高いシュレッダを提供することにある。
【課題を解決するための手段】
【０００５】
上記目的を達成するため、本願の第１考案に係るシュレッダは、紙葉の裁断片を収容する箱形の本体と、本体の上部に配備した裁断カッタ装置とを具備するシュレッダであって、本体または蓋の表面にキャラクターを表示すると共に、裁断カッタ装置の作動音と紙葉の裁断音を打ち消す音量で、かつ癒し効果のある擬音を発生する擬音発生システムを付設し、前記擬音発生システムは裁断作業に連動して擬音を再生可能に構成したことを特徴とするものである。
【０００６】
本願の第２考案に係るシュレッダは、前記第１考案において、前記擬音発生システムは、制御基板とスピーカとを具備し、制御基板に癒し効果のある擬音を記録した擬音ＲＯＭを設け、裁断中に擬音ＲＯＭの擬音を再生可能に構成したことを特徴とするものである。
【０００７】
本願の第３考案に係るシュレッダは、前記第１又は第２考案において、前記本体内に裁断屑の満杯高さを電気的に検知する屑センサを設け、屑センサと制御基板を連動させて裁断屑の満杯時に擬音発生システムを通じて、裁断時と異なる擬音を再生可能に構成したことを特徴とするものである。
【０００８】
本願の第４考案に係るシュレッダは、前記第１又は第２考案において、前記キャラクターの一部に感圧スイッチを埋設し、該感圧スイッチを主電源スイッチとして構成したことを特徴とするものである。
【考案の効果】
【０００９】
本考案はつぎの特有の効果を得ることができる。
（１）従来のシュレッダは裁断機能のみであったが、本考案では表面にキャラクターを表示することで視覚的な嗜好性および娯楽性が高まるだけでなく、裁断時に作動音と裁断音を打ち消すだけでなく癒し効果のある擬音を発することで聴覚的な面からも心身のリラックスが図れる。
したがって、これまでになかかった視覚と聴覚の両方からの癒しを与えられる付加価値の高いシュレッダを提供することが可能となる。
（２）裁断中に擬音が発せられるので、紙葉を繰り返し裁断する際に飽きや苦痛を感じることを少なくできる。
（３）記録する擬音にロボットが紙を食べているイメージ音やゲップ音等のユーモア性を有する擬音を記録しておくと、所謂遊び心が刺激されてシュレッダの付加価値がさらに高くなる。
（４）キャラクターの一部を電源スイッチに活用することで、触覚面からの癒し効果が加わるためシュレッダの付加価値が格段に高まる。
【考案を実施するための最良の形態】
【００１０】
以下に図面を参照しながら本考案に係るシュレッダ１０の一例について説明する。
【００１１】
（１）シュレッダの概要
図１にシュレッダ１０の全体斜視図を示し、図２にその縦断面図を示す。
シュレッダ１０は裁断片Ａを収容する箱形の本体２０と、本体２０の上部を封鎖する蓋材３０と、蓋材３０に配備した裁断カッタ装置４０とを具備する。
【００１２】
本考案はこの構成に擬音発生システム５０を付加したものである。
本例では、蓋材３０を本体２０と別体に構成する場合について示すが、蓋材３０を本体２０と一体に形成してもよい。
蓋材３０を本体２０と一体に形成する場合は、本体２０の側面に開閉扉を設けると共に、本体２０内に図示しない屑箱を収容して対処する。
以下に主要な構成部品について詳述する。
【００１３】
（２）蓋材
蓋材３０の表面は各種キャラクターの表示面３１として構成し、この表示面３１に印刷、或いはシール貼付により任意のキャラクターを表示する。表示面３１は本体２０の表面を含めてもよい。
表示面３１にキャラクターを表示するのは、シュレッダ１０という機能優先の無機質なマシンイメージを払拭し、視覚を通して作業者に癒し効果と好印象感を与えるだめである。
【００１４】
また表示面３１は視覚的な影響だけでなく、例えばキャラクターの一部の二つの目３２，３３に公知の感圧スイッチを埋め込み、シュレッダ１０の主電源スイッチとする場合もある。
本例ではキャラクターの夫々感圧スイッチを配置し、開眼側の目３２をＯＮスイッチ、ウィンクしている側の目３３をＯＦＦスイッチの組み合わせとしている。またはこれらの目３２，３３を回転方向の正逆の切替スイッチとして構成してもよい。
また蓋材３０に開設した紙葉投入口３４をキャラクターの口に見立てている。
表示面３１をこのように構成すれば、裁断作業の開始時と終了時のスイッチ操作に無機質感を与えることなく、癒し効果と娯楽性を付与することができる。
【００１５】
（３）裁断カッタ装置
図２に示すように、裁断カッタ装置４０は、例えば紙葉を帯状に裁断する一対のカッタロ−ラ４１，４１と、その直下に設けられ、帯状に細断された屑片を横方向に細断するスパイラルカッタ４２と、フラットカッタ（図示せず）と、これらカッタを回転駆動するモ−タ４３とを具備する。
各カッタ４１，４２の周囲には投入口３４から進入した紙葉をこれらのカッタ４１，４２に誘導して最終的に本体２０内へ放出するための狭隘な連続通路が画成されている。
裁断カッタ装置４０は図示した形態に限定されるものではなく、公知の各種裁断機構が適用可能である。
【００１６】
（４）擬音発生システム
擬音発生システム５０は、制御基板５１と、蓋材３０の裏面に付設したスピーカ５２と、蓋材３０から垂下し、裁断屑の満杯高さを電気的に検知する屑センサ５３を具備する。
【００１７】
制御基板５１はモータ４３の駆動制御回路と、各種擬音情報が記録された擬音ＲＯＭと、擬音選択回路とを有する。
電源スイッチや屑センサ５３及びスピーカ５２はこの制御基板５１の所定の回路と電気的に接続している。
屑センサ５３は反射型光センサ又は光電管式センサであり、累積した裁断屑が所定量に達したことを検知すると、制御基板５１へこの検知信号が記録され、制御基板５１から裁断カッタ装置４０に対して停止信号が送られ、また擬音の切替信号が発しられる。
【００１８】
モータ４３の駆動制御回路は裁断カッタ装置４０のＯＮ、ＯＦＦの切替だけでなく、公知の回路を組み合わせた手動又は自動による回転方向の切替も可能に構成されている。
【００１９】
擬音ＲＯＭには、裁断カッタ装置４０の作動音を打ち消すためと、作業者に癒し感を付与できる性質の擬音が予め記録されていて、裁断作業中において擬音選択回路と連携して、擬音ＲＯＭ内の所定の擬音がスピーカ５２から継続的に発せられるように構成されている。
擬音は裁断カッタ装置４０の主電源のＯＮ、ＯＦＦ信号に対応して作動し、また音量も調整可能である。
擬音ＲＯＭには、通常の裁断作業中の擬音と、屑センサ５３の感知信号と連動して裁断屑の満杯を知らせる擬音の二種類以上の擬音が記録されている。
この擬音発生システム５０は実用新案登録第２５０８１６１号公報に記載の如く、公知の回路を適用できる。
【００２０】
擬音例としては、犬猫象等の動物の鳴き声、潮騒やせせらぎの音、鈴虫やセミ等の虫の音、太鼓、琴、笛等の和楽器、或いはドラム、ギター等の洋楽器による曲、または紙を食べているイメージが沸くように電子合成音に強弱をつけたもの、または電子合成音によるゲップ音等の一種又は複数種の組み合わせを採用できる。
擬音は上記した例示に限定されるものではなく、癒しを与えられる音であれば、擬音だけでなく音楽や歌であってもよい。
【００２１】
（５）裁断方法
裁断作業を行わないときでも、本考案に係るシュレッダ１０はその蓋材３０の表示面３１にキャラクターが表示してあるので、概観からシュレッダ１０と容易に認識できない。そのため、オフィスや個室内環境を和ませることが可能となる。
【００２２】
シュレッダ１０を用いて裁断するときは、まず表示面３１に表示されたキャラクターの開眼側の目３２を押圧装置して主電源をＯＮにする。
その結果、裁断カッタ装置４０と擬音発生システム５０が稼動して、裁断カッタ装置４０の稼動擬音を打ち消す音量の心地よい擬音が発生する。
蓋材３０のキャラクターの口を見立てた投入口３４に裁断予定の紙葉を差し込むと、紙葉は裁断カッタ装置４０により裁断されて本体２０に落下する。
【００２３】
紙葉の裁断作業中も、擬音発生システム５０により裁断音を打ち消す音量の心地よい擬音が継続して発生するから、作業者はその擬音を聞きながら、気持ちよく作業を行うことが可能となる。
特に、これまでの裁断作業は無機質な裁断作業をイメージすることが多かったが、本考案では裁断作業中に動物の鳴き声や、潮騒やせせらぎの音、或いは紙を食べているイメージ音等が発せられるので、作業者に対して娯楽性や、心地よい環境を提供できて癒し効果は絶大である。
【００２４】
また裁断片Ａの廃棄時期になると、屑センサ５３の検知信号に基づいて、ゲップ音等の擬音が発し、裁断屑の廃棄時を告知すると同時に、裁断カッタ装置４０の運転が停止する。
【図面の簡単な説明】
【００２５】
【図１】本考案に係るシュレッダの全体斜視図
【図２】同シュレッダの縦断側面図
【符号の説明】
【００２６】
１０・・・シュレッダ
２０・・・本体
３０・・・蓋材
３１・・・表示面
３２・・・開眼側の目
３３・・・ウィンクしている側の目
３４・・・紙葉投入口
４０・・・裁断カッタ装置
４１・・・カッタロ−ラ
４２・・・スパイラルカッタ
４３・・・モ−タ
５０・・・擬音発生システム
５１・・・制御基板
５２・・・スピーカ
５３・・・屑センサ
【図１】
0003114333.tif 000003
【図２】
0003114333.tif 000004